(57)【要約】      （修正有）【課題】マットスイッチの上面を保護するための複数の保護板相互間の乗り上がりを的確に防止できる簡略構成で、かつ、安価な上面保護具を提供する。【解決手段】上面保護具１は、マットスイッチ１０の上面を、端辺突き合わせラインＬ１，Ｌ２を形成する状態で覆い、このマットスイッチ１０の上面全体を保護する第１乃至第３保護板２Ａ乃至２Ｃと、基部を端辺突き合わせラインＬ１，Ｌ２近傍の第１乃至第３保護板２Ａ乃至２Ｃの下面の一部に固着するとともに、基部から突設した抑止片部を端辺突き合わせラインＬ１，Ｌ２と交差する方向で、かつ、端辺突き合わせラインＬ１，Ｌ２を下から上に貫いて第１乃至第３保護板２Ａ乃至２Ｃの上面側の一部に臨ませた互い違い配置の乗り上げ抑止体３Ａ乃至３Ｆと、を有し、外力を互い違いに配置した乗り上げ抑止体３Ａ乃至３Ｆの各抑止片部にて受けることで、第１乃至第３保護板２Ａ乃至２Ｃの端辺相互間の乗り上がりを抑止するものである。【選択図】図２
0003134748.tif 000002
【実用新案登録請求の範囲】
【請求項１】
マットスイッチの上面を、端辺突き合わせラインを形成する状態で覆いこのマットスイッチの上面全体を保護する複数個の保護板と、
基部を端辺突き合わせライン近傍の一方の保護板の一部に固着するとともに、前記基部から突設した抑止片部を前記突き合わせラインと交差する方向で他方の保護板側の一部に臨ませ、各保護板から端辺突き合わせライン方向に作用する外力を前記抑止片部にて受けることで、各保護板の端辺相互間の乗り上がりを抑止する複数の乗り上げ抑止体と、
を有することを特徴とするマットスイッチの上面保護具。
【請求項２】
マットスイッチの上面を、端辺突き合わせラインを形成する状態で覆いこのマットスイッチの上面全体を保護する複数個の保護板と、
基部を端辺突き合わせライン近傍の一方の保護板下面の一部に固着するとともに、前記基部から突設した抑止片部を前記端辺突き合わせラインと交差する方向で、かつ、端辺突き合わせラインを下から上に貫いて他方の保護板上面側の一部に臨ませた各端辺突き合わせラインに関して互い違い配置の複数の乗り上げ抑止体、
を有し、
各保護板から端辺突き合わせライン方向に作用する外力を互い違いに配置した乗り上げ抑止体の各抑止片部にて受けることで、各保護板の端辺相互間の乗り上がりを抑止することを特徴とするマットスイッチの上面保護具。
【請求項３】
マットスイッチの上面を、端辺突き合わせラインを形成する状態で覆いこのマットスイッチの上面全体を保護する複数個の保護板と、
基部を端辺突き合わせライン近傍の一方の保護板上面の一部に固着するとともに、前記基部から突設した平坦な抑止片部を前記突き合わせラインと交差する方向で、かつ、他方の保護板上面の一部に臨ませた各端辺突き合わせラインに関して互い違い配置の複数の乗り上げ抑止体、
を有し、
各保護板から端辺突き合わせライン方向に作用する外力を互い違いに配置した乗り上げ抑止体の各抑止片部にて抑え込むことで、各保護板の端辺相互間の乗り上がりを抑止することを特徴とするマットスイッチの上面保護具。
【請求項４】
マットスイッチの上面を、端辺突き合わせラインを形成する状態で覆いこのマットスイッチの上面全体を保護する複数個の保護板と、
基部を端辺突き合わせライン近傍の一方の保護板下面の一部に固着するとともに、前記基部から突設したライン介在突部を有する抑止片部を、前記突き合わせラインと交差する方向で、かつ、前記ライン介在突部を前記端辺突き合わせライン中に介在させつつ他方の保護板下面の一部に臨ませた各端辺突き合わせラインに関して互い違い配置の複数の乗り上げ抑止体、
を有し、
各保護板から端辺突き合わせライン方向に作用する外力を互い違いに配置した乗り上げ抑止体のライン介在突部により受けることで、各保護板の端辺相互間の乗り上がりを抑止することを特徴とするマットスイッチの上面保護具。
【請求項５】
平坦で複数の抜穴を有する絶縁スペーサ板と、
絶縁スペーサ板上に配置した複数の抜穴を有する下部電極板と、
下部電極板の上方に下部電極板と隙間をもって平行配置される上部電極板と、
前記絶縁スペーサ板の複数の抜穴部分から立設され下部電極板の複数の抜穴を貫いて上部電極板の下面に当接させた複数の弾性絶縁材と、
前記下部電極板、上部電極板の端辺全体に配置した隅部絶縁材と、
を有し、
前記上部電極板側から下方に作用する外力により弾性絶縁材を撓ませ上部電極板を下部電極板に接触させるスイッチ動作を行うように構成したことを特徴とするマットスイッチ。
【請求項６】
平坦で複数の抜穴を有する絶縁スペーサ板と、
絶縁スペーサ板上に配置した複数の抜穴を有する下部電極板と、
下部電極板の上方に下部電極板と隙間をもって平行配置される上部電極板と、
前記絶縁スペーサ板の複数の抜穴部分から立設され下部電極板の複数の抜穴を貫いて上部電極板の下面に当接させた複数の弾性絶縁材と、
前記下部電極板、上部電極板の端辺全体に配置した隅部絶縁材と、
を有し、
前記絶縁スペーサ板と下部電極板との合成厚さが弾性絶縁材の撓み時の厚さに一致するように設定して、前記上部電極板側から下方に作用する外力により弾性絶縁材を撓ませ上部電極板を下部電極板に接触させるスイッチ動作を行うように構成したことを特徴とするマットスイッチ。
【請求項７】
平坦で複数の抜穴を有する絶縁スペーサ板と、
絶縁スペーサ板上に配置した複数の抜穴を有する下部電極板と、
下部電極板の上方に下部電極板と隙間をもって平行配置される上部電極板と、
前記絶縁スペーサ板の複数の抜穴部分から立設され下部電極板の複数の抜穴を貫いて上部電極板の下面に当接させた複数の弾性絶縁材と、
前記下部電極板、上部電極板の端辺全体に配置した隅部絶縁材と、
前記絶縁スペーサ板、上部電極板及び隅部絶縁材の外側全体を覆う絶縁材からなる外被体と、
を有し、
前記絶縁スペーサ板と下部電極板との合成厚さが弾性絶縁材の撓み時の厚さに一致するように設定して、前記上部電極板側から下方に作用する外力により弾性絶縁材を撓ませ上部電極板を下部電極板に接触させるスイッチ動作を行うように構成したことを特徴とするマットスイッチ。
【請求項８】
平坦で複数の抜穴を有する絶縁スペーサ板と、
絶縁スペーサ板上に配置した複数の抜穴を有する下部電極板と、
下部電極板の上方に下部電極板と隙間をもって平行配置される上部電極板と、
前記絶縁スペーサ板の複数の抜穴部分から立設され下部電極板の複数の抜穴を貫いて上部電極板の下面に当接させた複数の弾性絶縁材と、
前記下部電極板、上部電極板の端辺全体に配置した隅部絶縁材と、
前記絶縁スペーサ板、上部電極板及び隅部絶縁材の外側全体を覆う絶縁材からなる外枠体と、
を有し、
前記絶縁スペーサ板と下部電極板との合成厚さが弾性絶縁材の撓み時の厚さに一致するように設定して、前記上部電極板側から下方に作用する外力により弾性絶縁材を撓ませ上部電極板を下部電極板に接触させるスイッチ動作を行うように構成したマットスイッチにおける前記外枠体の上面に対して、
前記マットスイッチの上面を、端辺突き合わせラインを形成する状態で覆いこのマットスイッチの上面全体を保護する複数個の保護板と、基部を端辺突き合わせライン近傍の一方の保護板の一部に固着するとともに、前記基部から突設した抑止片部を前記突き合わせラインと交差する方向で他方の保護板側の一部に臨ませ、各保護板から端辺突き合わせライン方向に作用する外力を前記抑止片部にて受けることで、各保護板の端辺相互間の乗り上がりを抑止する複数の乗り上げ抑止体と、を有する上面保護具を配置したことを特徴とするマットスイッチ。
【考案の詳細な説明】
【技術分野】
【０００１】
本考案は、マットスイッチの上面を保護するための複数の保護板相互間の乗り上がりを的確に防止できる簡略構成で、かつ、安価なマットスイッチの上面保護具及びマットスイッチに関するものである。
【背景技術】
【０００２】
近年、圧力感知式のマットスイッチが防犯目的や安全確保の目的で店舗や工場等で多用されるようになっている。
【０００３】
このような圧力感知式のマットスイッチにおいては、安全距離を確保するため大型化の傾向がある一方で、工場等の床面に設置した場合重量物を積んだ台車、運搬車等がその上面を通過する場合も多く、上面を保護板で覆い損傷を防止することが要請される。
【０００４】
この種の保護板を含む圧力感知式のマットスイッチの従来例を、図１７を参照して説明する。
【０００５】
同図は、四角形平板状の圧力感知式のマットスイッチ１０１の上面に、このマットスイッチ１０１の上面の１／２の大きさを有する例えば鉄製で四角形の保護板１０２を２枚突き合わせ状態に配置してマットスイッチ１０１の上面を覆い、上面保護を図るようにしたものである。
【０００６】
そして、２枚の保護板１０２の突き合わせラインに、これら２枚の保護板１０２の相互乗り上がりを防ぎ、歩行者のつまずきを防止するための連結継手１０３を配置して２枚の保護板１０２の端辺を突き合わせラインに沿って連結するように構成している。
【０００７】
前記連結継手１０３は、２枚の保護板１０２の突き合わせラインと略同一の長さを有するとともに、その長さ方向両側辺に図１８に示すような２枚の保護板１０２の端辺を嵌着するための凹溝１０４を設けた全体として断面略Ｈ形で長尺を呈する形状としている。
【０００８】
しかし、上述した連結継手１０３の場合、保護板１０２の厚さが異なると対応できないため、凹溝１０４の寸法が異なる複数種の連結継手１０３を用意する必要があること、断面略Ｈ形状の連結継手１０３の製作コストが高いこと、施工現場での設置の手間、時間が多くかかり広面積のマットスイッチには対応が難しいこと、保護板１０２の表面に滑り止め用の浮き出し模様等がある場合には、保護板１０２の端辺全長に亘る平面加工が必要になること等、種々の問題を包含していた。
【０００９】
特許文献１には、センサー本体の上面を金属保護板で外被する構成のマットスイッチ型の車輛検知装置が開示されている。
【００１０】
しかし、この特許文献１の場合、車輛検知を主目的とするものであり、広面積のマットスイッチの上面を保護するような上面保護具は見当たらないのが現状である。
【特許文献１】実開平７−４１６９６号公報
【考案の開示】
【考案が解決しようとする課題】
【００１１】
本考案が解決しようとする問題点は、マットスイッチの上面を保護するための複数の保護板相互間の乗り上がりを的確に防止できる簡略構成で、かつ、安価な上面保護具が存在しない点である。
【課題を解決するための手段】
【００１２】
本考案に係るマットスイッチの上面保護具は、マットスイッチの上面を、端辺突き合わせラインを形成する状態で覆いこのマットスイッチの上面全体を保護する複数個の保護板と、基部を端辺突き合わせライン近傍の一方の保護板の一部に固着するとともに、前記基部から突設した抑止片部を前記突き合わせラインと交差する方向で他方の保護板側の一部に臨ませ、各保護板から端辺突き合わせライン方向に作用する外力を前記抑止片部にて受けることで、各保護板の端辺相互間の乗り上がりを抑止する複数の乗り上げ抑止体を有することを主要な特徴とする。
【考案の効果】
【００１３】
請求項１記載の考案によれば、マットスイッチの上面上の複数の保護板相互間の乗り上げを外力が作用しても的確に抑止して歩行者の端辺突き合わせラインでのつまずき等を無くすことができ、また、上面が小面積から広面積までの種々のマットスイッチに容易、かつ、速やかに対応できるとともに、これらマットスイッチ上面に対する施工も簡略で低価格化を実現できるマットスイッチの上面保護具を提供できる。
【００１４】
請求項２記載の考案によれば、保護板下面に固着され、端辺突き合わせラインを下から上に貫いて他方の保護板上面側の一部に臨ませた複数の乗り上げ抑止体を、各端辺突き合わせラインに関して互い違いに配置した構成で、請求項１記載の考案と同様な効果を奏するマットスイッチの上面保護具を提供できる。
【００１５】
請求項３記載の考案によれば、保護板上面に固着され、端辺突き合わせライン上から他方の保護板上面側の一部に臨ませた平板状の複数の乗り上げ抑止体を、各端辺突き合わせラインに関して互い違いに配置した構成で、請求項１記載の考案と同様な効果を奏するマットスイッチの上面保護具を提供できる。
【００１６】
請求項４記載の考案によれば、保護板下面に固着され、端辺突き合わせラインにライン介在突部を介在させつつ他方の保護板下面側の一部に臨ませた複数の乗り上げ抑止体を、各端辺突き合わせラインに関して互い違いに配置した構成で、請求項１記載の考案と同様な効果を奏するマットスイッチの上面保護具を提供できる。
【００１７】
請求項５乃至７記載の考案によれば、安定したスイッチ動作を実現ができる、具体的には、絶縁スペーサ板と下部電極板との合成厚さを、弾性絶縁材の撓み時の厚さと一致させ、かつ、弾性絶縁材の撓み時における撓み余裕を絶縁スペーサ板の抜穴、下部電極板の抜穴により確保して外力の作用時における安定したスイッチ動作を実現でき、前記請求項１乃至４記載の上面保護具が適用できるマットスイッチを提供できる。
【００１８】
請求項８記載の考案によれば、請求項７記載のマットスイッチの構成に請求項１記載の上面保護具の構成を付加してマットスイッチとしたことによって、外力の作用時における安定したスイッチ動作を実現できるとともに、上面に配置される複数の保護板相互間の乗り上げを外力が作用しても的確に抑止して歩行者の端辺突き合わせラインでのつまずき等を無くすこともできるマットスイッチを提供できる。
【考案を実施するための最良の形態】
【００１９】
本考案は、マットスイッチの上面を保護するための複数の保護板相互間の乗り上がりを的確に防止できる簡略構成で、かつ、安価な上面保護具を提供するという目的を有するものである。
本考案は、上記目的を、マットスイッチの上面を、端辺突き合わせラインを形成する状態で覆いこのマットスイッチの上面全体を保護する複数個の保護板と、基部を端辺突き合わせライン近傍の一方の保護板下面の一部に固着するとともに、前記基部から突設した抑止片部を前記端辺突き合わせラインと交差する方向で、かつ、端辺突き合わせラインを下から上に貫いて他方の保護板上面側の一部に臨ませた各端辺突き合わせラインに関して互い違い配置の複数の乗り上げ抑止体と、を有し、各保護板から端辺突き合わせライン方向に作用する外力を互い違いに配置した乗り上げ抑止体の各抑止片部にて受けることで、各保護板の端辺相互間の乗り上がりを抑止する構成により実現した。
【実施例】
【００２０】
以下に、本考案の実施例に係るマットスイッチの上面保護具について図面を参照して詳細に説明する。
【００２１】
（実施例１）
図１乃至図４を参照して本考案の実施例１に係るマットスイッチ１０の上面保護具１について説明する。
【００２２】
本実施例１に係るマットスイッチ１０の上面保護具１は、図１、図２に示すように、圧力感知式で、平面矩形状に形成したマットスイッチ１０の上面に配置して、マットスイッチ１０の上面が損傷することを防止するものである。
なお、図１において、１１はマットスイッチ１０の外周を保護する外枠体、１２は接続ケーブルである。また、図２は外枠体１１を除去した状態を示している。
【００２３】
本実施例１の上面保護具１は、マットスイッチ１０の上面全体を、各々一辺又は二辺が端辺突き合わせラインＬ１、Ｌ２を形成する状態で覆い、このマットスイッチ１０の上面全体を保護する各々平面四角形状の例えば薄い金属板からなる第１乃至第３保護板２Ａ乃至２Ｃと、各端辺突き合わせラインＬ１、Ｌ２に配置した合計６個の乗り上げ抑止体３Ａ乃至３Ｆと、を有している。
【００２４】
更に詳述すると、前記第１乃至第３保護板２Ａ乃至２Ｃは、マットスイッチ１０の上面を３分する状態で、かつ、第１保護板２Ａの長辺と、第２保護板２Ｂ及び第３保護板２Ｃとの各短辺とを突き合わせ、また、第２保護板２Ｂと第３保護板２Ｃとの各長辺を突き合わせる配置でマットスイッチ１０の上面に配置している。また、第１乃至第３保護板２Ａ乃至２Ｃの上面には滑り止め加工が施されている。
【００２５】
これにより、前記第１乃至第３保護板２Ａ乃至２Ｃにより、マットスイッチ１０の上面において、Ｔ状を呈する端辺突き合わせラインＬ１、Ｌ２を形成している。
【００２６】
前記端辺突き合わせラインＬ１には、乗り上げ抑止体３Ａ乃至３Ｄを一個ずつ互い違いに配置し、また、前記端辺突き合わせラインＬ２には、乗り上げ抑止体３Ｅ、３Ｆを互い違いに配置している。
【００２７】
前記端辺突き合わせラインＬ１に配置した乗り上げ抑止体３Ａ及び乗り上げ抑止体３Ｂについて図３、図４を参照して説明する。
【００２８】
前記乗り上げ抑止体３Ａは、図３に示すように、例えば小幅で数ｃｍ程度の長さの金属板を側面クランク状を呈するように折曲形成し、その基部４ａを前記端辺突き合わせラインＬ１近傍の第１保護板２Ａの下面の一部にリベット等の止め具５を用いて固着するとともに、前記基部４ａから突設したクランク状を呈する抑止片部４ｂを前記端辺突き合わせラインＬ１と交差する方向で、かつ、端辺突き合わせラインＬ１を下から上に貫いて第２保護板２Ｂの上面側の一部に臨ませている。
【００２９】
前記乗り上げ抑止体３Ｂは、図４に示すように、例えば小幅で数ｃｍ程度の長さの金属板を側面クランク状を呈するように折曲形成し、前記乗り上げ抑止体３Ａとは逆に、その基部４ａを前記端辺突き合わせラインＬ１近傍の第２保護板２Ｂの下面の一部にリベット等の止め具５を用いて固着するとともに、前記基部４ａから突設したクランク状を呈する抑止片部４ｂを前記端辺突き合わせラインＬ１と交差する方向で、かつ、端辺突き合わせラインＬ１を下から上に貫いて第１保護板２Ａの上面側の一部に臨ませている。
【００３０】
すなわち、前記乗り上げ抑止体３Ａ、乗り上げ抑止体３Ｂは、端辺突き合わせラインＬ１に関して互い違いの配置に設けている。
【００３１】
この他の乗り上げ抑止体３Ｃ、３Ｄ及び乗り上げ抑止体３Ｅ、３Ｆも、前記乗り上げ抑止体３Ａ、乗り上げ抑止体３Ｂと同様な構成としている。
【００３２】
すなわち、前記乗り上げ抑止体３Ｃ、３Ｄは、第１保護板２Ａの長辺と、第３保護板２Ｃの短辺とが形成する端辺突き合わせラインＬ１に関して前記乗り上げ抑止体３Ａ、乗り上げ抑止体３Ｂの場合と同様に配置している。
【００３３】
また、前記乗り上げ抑止体３Ｅ、３Ｆは、前記第２保護板２Ｂの長辺と、第３保護板２Ｃの長辺とが形成する端辺突き合わせラインＬ２に関して前記乗り上げ抑止体３Ａ、乗り上げ抑止体３Ｂの場合と同様に配置している。
【００３４】
このように構成した本実施例１の上面保護具１の作用を以下に説明する。なお、本実施例１の上面保護具１において、この上面保護具１上を台車等の重量物が通過するに際して作用する外力の方向を図２に示すように矢印Ｘ１，Ｘ２，Ｙ１，Ｙ２で定義して以下の説明を行う。
【００３５】
本実施例１の上面保護具１をマットスイッチ１０の上面に配置した状態において、台車等の重量物がＸ１方向に通過しようとしてＸ１方向の外力が上面保護具１に作用したとする。
【００３６】
このとき、前記端辺突き合わせラインＬ１に配置した４個の乗り上げ抑止体３Ａ乃至３Ｄの内、前記乗り上げ抑止体３Ａ、３Ｃの各抑止片部４ｂがＸ１方向の外力を受け止め、第２保護板２Ｂ、第３保護板２Ｃの各短辺が第１保護板２Ａ側に乗り上がることを抑止する。
【００３７】
他方、台車等の重量物がＸ２方向に通過しようとしてＸ２方向の外力が上面保護具１に作用したとする。
【００３８】
このとき、前記端辺突き合わせラインＬ１に配置した４個の各乗り上げ抑止体３Ａ乃至３Ｄの内、前記乗り上げ抑止体３Ｂ、３Ｄの各抑止片部４ｂが、Ｘ２方向の外力を受け止め、第１保護板２Ａの長辺が第２保護板２Ｂ、第３保護板２Ｃ側に乗り上がることを抑止する。
【００３９】
次に、台車等の重量物がＹ１方向に通過しようとしてＹ１方向の外力が上面保護具１に作用したとする。
【００４０】
このとき、前記端辺突き合わせラインＬ２に配置した２個の乗り上げ抑止体３Ｅ、３Ｆの内、乗り上げ抑止体３Ｅの抑止片部４ｂがＹ１方向の外力を受け止め、第３保護板２Ｃの長辺が第２保護板２Ｂ側に乗り上がることを抑止する。
【００４１】
逆に、台車等の重量物がＹ２方向に通過しようとしてＹ２方向の外力が上面保護具１に作用したとする。
【００４２】
このとき、前記端辺突き合わせラインＬ２に配置した２個の乗り上げ抑止体３Ｅ、３Ｆの内、乗り上げ抑止体３Ｆの抑止片部４ｂがＹ２方向の外力を受け止め、第２保護板２Ｂの長辺が第３保護板２Ｃ側に乗り上がることを抑止する。
【００４３】
このようにして、本実施例１の上面保護具１によれば、この上面保護具１に作用する矢印Ｘ１，Ｘ２，Ｙ１，Ｙ２各方向の外力を各々６個の簡略構成からなる乗り上げ抑止体３Ａ乃至３Ｆの互い違いの配置によって受け止め、第１乃至第３保護板２Ａ乃至２Ｃ相互間の乗り上げを的確に抑止し、歩行者の端辺突き合わせラインＬ１、Ｌ２でのつまずき等を無くすことができる。
【００４４】
また、本実施例１の上面保護具１によれば、側面クランク状を呈するように折曲形成し乗り上げ抑止体３Ａ乃至３Ｆを第１乃至第３保護板２Ａ乃至２Ｃの下面の一部に止め具５を用いて固着するという極めて簡略な構成であることから、上面が小面積から広面積までの種々のマットスイッチ１０に容易、かつ、速やかに対応できるとともに、これらマットスイッチ１０の上面に対する施工も簡略であり、低価格化を実現できる上面保護具１とすることができる。
【００４５】
更に、上述の構成から明らかな通り、乗り上げ抑止体３Ａ乃至３Ｆは小幅形状で済むことから、第１乃至第３保護板２Ａ乃至２Ｃが従来例のような表面に滑り止め用の浮き出し模様等を有する場合でも、格別の処理が不要であるという利点がある。
【００４６】
（実施例２）
図５至図７を参照して本考案の実施例２に係るマットスイッチ１０の上面保護具１Ａについて説明する。なお、実施例１の場合と同一の要素には同一の符号を付して示す。
【００４７】
本実施例２の上面保護具１Ａは、マットスイッチ１０の上面全体を、各々一辺又は二辺が端辺突き合わせラインＬ１、Ｌ２を形成する状態で覆い、このマットスイッチ１０の上面全体を保護する各々平面四角形状の例えば薄い金属板からなる第１乃至第３保護板２Ａ乃至２Ｃと、各端辺突き合わせラインＬ１、Ｌ２に配置した合計６個の乗り上げ抑止体６Ａ乃至６Ｆと、を有している。
【００４８】
前記端辺突き合わせラインＬ１には、乗り上げ抑止体６Ａ乃至６Ｄを一個ずつ互い違いに配置し、また、前記端辺突き合わせラインＬ２には、乗り上げ抑止体６Ｅ、６Ｆを互い違いに配置している。
【００４９】
前記端辺突き合わせラインＬ１に配置した乗り上げ抑止体６Ａ及び乗り上げ抑止体６Ｂについて図６、図７を参照して説明する。
【００５０】
前記乗り上げ抑止体６Ａは、図６に示すように、例えば小幅で数ｃｍ程度の長さの平坦な金属板からなり、その基部６ａを前記端辺突き合わせラインＬ１近傍の第１保護板２Ａの上面の一部にリベット等の止め具５を用いて固着するとともに、前記基部６ａから突設した平坦な抑止片部６ｂを前記端辺突き合わせラインＬ１と交差する方向で、かつ、端辺突き合わせラインＬ１上を通過して第２保護板２Ｂの上面側の一部に臨ませている。
【００５１】
前記乗り上げ抑止体６Ｂは、図７に示すように、例えば小幅で数ｃｍ程度の長さの金属板からなり、その基部６ａを前記端辺突き合わせラインＬ１近傍の第２保護板２Ｂの上面の一部にリベット等の止め具５を用いて固着するとともに、前記基部６ａから突設した平坦な抑止片部６ｂを前記端辺突き合わせラインＬ１と交差する方向で、かつ、端辺突き合わせラインＬ１上を通過して第１保護板２Ａの上面側の一部に臨ませている。
【００５２】
すなわち、前記乗り上げ抑止体６Ａ、乗り上げ抑止体６Ｂは、端辺突き合わせラインＬ１に関して互い違いの配置に設けている。
【００５３】
この他の乗り上げ抑止体６Ｃ、６Ｄ及び乗り上げ抑止体６Ｅ、６Ｆも、前記乗り上げ抑止体６Ａ、乗り上げ抑止体６Ｂと同様な構成としている。
【００５４】
すなわち、前記乗り上げ抑止体６Ｃ、６Ｄは、第１保護板２Ａの長辺と、第３保護板２Ｃの短辺とが形成する端辺突き合わせラインＬ１に関して前記乗り上げ抑止体６Ａ、乗り上げ抑止体６Ｂの場合と同様に配置している。
【００５５】
また、前記乗り上げ抑止体６Ｅ、６Ｆは、前記第２保護板２Ｂの長辺と、第３保護板２Ｃの長辺とが形成する端辺突き合わせラインＬ２に関して前記乗り上げ抑止体６Ａ、乗り上げ抑止体６Ｂの場合と同様に配置している。
【００５６】
本実施例２の上面保護具１Ａによれば、実施例１の場合と略同様にして、この上面保護具１Ａに作用する矢印Ｘ１，Ｘ２，Ｙ１，Ｙ２各方向の外力の作用を簡略構成からなる６個の乗り上げ抑止体６Ａ乃至６Ｆの互い違いの配置によって、それぞれ抑え込むことができ、第１乃至第３保護板２Ａ乃至２Ｃ相互間の乗り上げを的確に抑止し、歩行者の端辺突き合わせラインＬ１、Ｌ２でのつまずき等を無くすことができる。
【００５７】
また、本実施例２の上面保護具１Ａによっても、上述した実施例１の上面保護具１の場合と同様な効果を発揮させることができる。
【００５８】
（実施例３）
図８至図１０を参照して本考案の実施例３に係るマットスイッチ１０の上面保護具１Ｂについて説明する。なお、実施例１の場合と同一の要素には同一の符号を付して示す。
【００５９】
本実施例３の上面保護具１Ｂは、マットスイッチ１０の上面全体を、各々一辺又は二辺が端辺突き合わせラインＬ１、Ｌ２を形成する状態で覆い、このマットスイッチ１０の上面全体を保護する各々平面四角形状の例えば薄い金属板からなる第１乃至第３保護板２Ａ乃至２Ｃと、各端辺突き合わせラインＬ１、Ｌ２に配置した合計６個の乗り上げ抑止体７Ａ乃至７Ｆと、を有している。
【００６０】
前記端辺突き合わせラインＬ１には、乗り上げ抑止体７Ａ乃至７Ｄを一個ずつ互い違いに配置し、また、前記端辺突き合わせラインＬ２には、乗り上げ抑止体７Ｅ、７Ｆを互い違いに配置している。
【００６１】
前記端辺突き合わせラインＬ１に配置した乗り上げ抑止体やＡ及び乗り上げ抑止体７Ｂについて図９、図１０を参照して説明する。
【００６２】
前記乗り上げ抑止体７Ａは、図９に示すように、例えば小幅で数ｃｍ程度の長さの平坦な金属板からなり、その基部７ａを前記端辺突き合わせラインＬ１近傍における第１保護板２Ａの下面の一部にリベット等の止め具５を用いて固着するとともに、前記基部７ａから突設したライン介在突部７ｃを有する抑止片部７ｂを前記突き合わせラインＬ１と交差する方向で、かつ、前記ライン介在突部７ｃを前記端辺突き合わせラインＬ１中（第１保護板２Ａと第２保護板２Ｂとの間）に介在させつつ第２保護板２Ｂ下面の一部に臨ませている。
前記乗り上げ抑止体７Ｂ、図１０に示すように、例えば小幅で数ｃｍ程度の長さの平坦な金属板からなり、その基部７ａを前記端辺突き合わせラインＬ１近傍の第２保護板２Ｂの下面の一部にリベット等の止め具５を用いて固着するとともに、前記基部７ａから突設したライン介在突部７ｃを有する抑止片部７ｂを前記突き合わせラインＬ１と交差する方向で、かつ、前記ライン介在突部７ｃを前記端辺突き合わせラインＬ１中（第１保護板２Ａと第２保護板２Ｂとの間）に介在させつつ第１保護板２Ａ下面の一部に臨ませている。
【００６３】
すなわち、前記乗り上げ抑止体７Ａ、乗り上げ抑止体７Ｂは、端辺突き合わせラインＬ１に関して互い違いの配置に設けている。
【００６４】
この他の乗り上げ抑止体７Ｃ、７Ｄ及び乗り上げ抑止体７Ｅ、７Ｆも、前記乗り上げ抑止体７Ａ、乗り上げ抑止体７Ｂと同様な構成としている。
【００６５】
すなわち、前記乗り上げ抑止体７Ｃ、７Ｄは、第１保護板２Ａの長辺と、第３保護板２Ｃの短辺とが形成する端辺突き合わせラインＬ１に関して前記乗り上げ抑止体７Ａ、乗り上げ抑止体７Ｂの場合と同様に配置している。
【００６６】
また、前記乗り上げ抑止体７Ｅ、７Ｆは、前記第２保護板２Ｂの長辺と、第３保護板２Ｃの長辺とが形成する端辺突き合わせラインＬ２に関して前記乗り上げ抑止体７Ａ、乗り上げ抑止体７Ｂの場合と同様に配置している。
【００６７】
本実施例２の上面保護具１Ｂによれば、実施例１の場合と略同様にして、この上面保護具１Ｂに作用する矢印Ｘ１，Ｘ２，Ｙ１，Ｙ２各方向の外力の作用を簡略構成からなる６個の乗り上げ抑止体７Ａ乃至７Ｆの互い違いの配置によってそれぞれ受け止めることができ、第１乃至第３保護板２Ａ乃至２Ｃ相互間の乗り上げを的確に抑止し、歩行者の端辺突き合わせラインＬ１、Ｌ２でのつまずき等を無くすことができる。
【００６８】
また、本実施例３の上面保護具１Ｂによっても、上述した実施例１の上面保護具１の場合と同様な効果を発揮させることができる。
【００６９】
（実施例４）
図１１至図１５を参照して、前記実施例の上面保護具が適用できるような本考案の実施例４に係るマットスイッチ２０について説明する。
【００７０】
本実施例４に係るマットスイッチ２０は、図１１乃至図１３に示すように、平坦で複数の抜穴２２を有する絶縁スペーサ板２１と、絶縁スペーサ板２１上に配置した前記複数の抜穴２２と対応する配置の複数の抜穴２４を有する導電金属板からなる下部電極板２３と、下部電極板２３の上方に下部電極板２３と隙間をもって平行配置される撓み性を有する導電金属板からなる上部電極板２５と、前記絶縁スペーサ板２１の複数の抜穴２２の部分から立設され下部電極板２３の複数の抜穴２４を貫いて上部電極板２５の下面に各々当接させた弾性ゴム材等からなり円柱状の複数の弾性絶縁材２６と、前記下部電極板２３、上部電極板２５の端辺全体にわたって配置した隅部絶縁材２７と、前記絶縁スペーサ板２１、上部電極板２５及び隅部絶縁材２７の外側全体を覆う絶縁材からなる外被体２８と、接続ケーブル２９とを有し、全体として平面四角形状を呈するように構成している。
【００７１】
前記外被体２８は、絶縁スペーサ板２１の下面に配置した下部外被３０、上部電極板２５の上面に配置した上部外被３１及び下部外被３０、上部外被３１の端辺全体を連結する側部外被３２を具備している。
【００７２】
本実施例４においては、前記絶縁スペーサ板２１の厚さｔ１、下部電極板２３の厚さｔ２、弾性絶縁材２６の撓み時（マットスイッチ２０のオン動作時）の厚さｔ３との関係を、図１５に拡大して示すように、（ｔ１＋ｔ２）＝ｔ３となるように設定している。
【００７３】
また、本実施例４においては、前記絶縁スペーサ板２１の抜穴２２及び前記下部電極板２３の抜穴２４の内径を、各々前記弾性絶縁材２６の外径よりも若干大きくし、弾性絶縁材２６の撓み時における撓み余裕を確保するように構成している。
【００７４】
本実施例４に係るマットスイッチ２０によれば、図１２、図１４に示す無負荷状態から、図１３、図１５に示すように外力Ｆが上部外被３１を介して上部電極板２５に作用したとき、この上部電極板２５が下方に撓み、これに伴い撓み部分に存在する弾性絶縁材２６も対応する抜穴２４及び抜穴２２内で撓んで（縮んで）、上部電極板２５の撓み部分の下面が下部電極板２３の上面に接触し、これにより、マットスイッチ２０はオン動作状態となり前記接続ケーブル２９からオン信号を取り出すことができる。
【００７５】
この場合に、上述したように、前記絶縁スペーサ板２１と下部電極板２３との合成厚さを、弾性絶縁材２６の撓み時の厚さと一致させていること、及び、弾性絶縁材２６の撓み時における撓み余裕を確保していることから、外力Ｆの作用時におけるマットスイッチ２０の安定したスイッチ動作を実現できる。
【００７６】
（実施例５）
図１６を参照して本考案の実施例５に係るマットスイッチ５０について説明する。
【００７７】
本実施例５のマットスイッチ５０は、上述した実施例４に係るマットスイッチ２０と図２に示す実施例１の上面保護具１とを組み合わせたものである。
【００７８】
このマットスイッチ５０によれば、外力の作用時における既述したような安定したスイッチ動作を実現できるとともに、上面に配置される第１乃至第３の保護板２Ａ乃至２Ｃ相互間の乗り上げを外力が作用しても的確に抑止して歩行者の端辺突き合わせラインでのつまずき等を無くすことが可能となる。
【００７９】
この他、実施例４に係るマットスイッチ２０と、実施例２の上面保護具１Ａとを組み合わせたり、実施例４に係るマットスイッチ２０と、実施例３の上面保護具１Ｂとを組み合わせたりしてマットスイッチ５０とすることももちろん可能であり、これらの場合も各々上述した場合と同様な作用、効果を発揮させることができる。
【産業上の利用可能性】
【００８０】
本考案の上面保護具は、防犯目的や安全確保の目的で店舗や工場等において広範に設置されているマットスイッチに適用して極めて有益である。
【図面の簡単な説明】
【００８１】
【図１】本考案の実施例１に係る上面保護具の概略斜視図である。
【図２】本実施例１に係る上面保護具の外枠体を除去した状態の概略斜視図である。
【図３】図２のＡ−Ａ線断面図である。
【図４】図２のＢ−Ｂ線断面図である。
【図５】本考案の実施例２に係る上面保護具の概略斜視図である。
【図６】図５のＣ−Ｃ線断面図である。
【図７】図５のＤ−Ｄ線断面図である。
【図８】本考案の実施例３に係る上面保護具の概略斜視図である。
【図９】図８のＥ−Ｅ線断面図である。
【図１０】図８のＦ−Ｆ線断面図である。
【図１１】本考案の実施例４に係るマットスイッチの概略斜視図である。
【図１２】本実施例４に係るマットスイッチの概略断面図である。
【図１３】本実施例４に係るマットスイッチのオン動作時の概略断面図である。
【図１４】本実施例４に係るマットスイッチの部分拡大断面図である。
【図１５】本実施例４に係るマットスイッチのオン動作時の部分拡大断面図である。
【図１６】本考案の実施例５に係るマットスイッチの概略斜視図である。
【図１７】従来のマットスイッチの概略斜視図である。
【図１８】従来のマットスイッチの部分拡大断面図である。
【符号の説明】
【００８２】
１    上面保護具
１Ａ  上面保護具
１Ｂ  上面保護具
２Ａ  第１保護板
２Ｂ  第２保護板
２Ｃ  第３保護板
３Ａ  乗り上げ抑止体
３Ｂ  乗り上げ抑止体
３Ｃ  乗り上げ抑止体
３Ｄ  乗り上げ抑止体
３Ｅ  乗り上げ抑止体
３Ｆ  乗り上げ抑止体
４ａ  基部
４ｂ  抑止片部
５    止め具
６Ａ  乗り上げ抑止体
６Ｂ  乗り上げ抑止体
６Ｃ  乗り上げ抑止体
６Ｄ  乗り上げ抑止体
６Ｅ  乗り上げ抑止体
６Ｆ  乗り上げ抑止体
６ａ  基部
６ｂ  抑止片部
７Ａ  乗り上げ抑止体
７Ｂ  乗り上げ抑止体
７Ｃ  乗り上げ抑止体
７Ｄ  乗り上げ抑止体
７Ｅ  乗り上げ抑止体
７Ｆ  乗り上げ抑止体
７ａ  基部
７ｂ  抑止片部
７ｃ  ライン介在突部
１０    マットスイッチ
１１    外枠体
１２    接続ケーブル
２０    マットスイッチ
２１    絶縁スペーサ板
２２    抜穴
２３    下部電極板
２４    抜穴
２５    上部電極板
２６    弾性絶縁材
２７    隅部絶縁材
２８    外被体
２９    接続ケーブル
３０    下部外被
３１    上部外被
３２    側部外被
５０    マットスイッチ
【図１】
0003134748.tif 000003
【図２】
0003134748.tif 000004
【図３】
0003134748.tif 000005
【図４】
0003134748.tif 000006
【図５】
0003134748.tif 000007
【図６】
0003134748.tif 000008
【図７】
0003134748.tif 000009
【図８】
0003134748.tif 000010
【図９】
0003134748.tif 000011
【図１０】
0003134748.tif 000012
【図１１】
0003134748.tif 000013
【図１２】
0003134748.tif 000014
【図１３】
0003134748.tif 000015
【図１４】
0003134748.tif 000016
【図１５】
0003134748.tif 000017
【図１６】
0003134748.tif 000018
【図１７】
0003134748.tif 000019
【図１８】
0003134748.tif 000020